(57)【要約】【課題】より多彩なマッサージを行えるようにする。【解決手段】一対の対向壁１１、１２を有する挿入部１０に、施療者の被施療部としての足を挿入し、対向壁１１、１２のうちの少なくとも一方（対向壁１１）に挟持手段としての空気袋１３を膨張収縮させて被施療部を挟み揉みするマッサージ機において、押圧子１７を有する補助具１６を、押圧子１６を被施療部側に向けて一方の対向壁１１に着脱自在に取り付ける。【効果】補助具を挿入部の対向壁に装着することにより、補助具の押圧子を使って被施療部を局部的に刺激することもでき、より多彩なマッサージを行うことができる。【選択図】  図２
2004236759.tif 000002
【特許請求の範囲】
【請求項１】
一対の対向壁を有する挿入部に、施療者の被施療部を挿入し、前記対向壁のうちの少なくとも一方に被施療部を挟持する挟持手段を配備して被施療部を挟み揉みするマッサージ機において、押圧子を有する補助具を、前記押圧子を被施療部側に向けて前記対向壁に着脱自在に取り付けたことを特徴とするマッサージ機。
【請求項２】
前記補助具を取り付ける対向壁は、前記一方の対向壁であることを特徴とする請求項１に記載のマッサージ機。
【請求項３】
前記補助具は、前記押圧子の被施療部に対する位置が変更可能に前記対向壁に取り付けられることを特徴とする請求項１又は請求項２に記載のマッサージ機。
【請求項４】
前記補助具は、前記押圧子が取り付けられた伸縮性を有する帯状の装着部を有し、該装着部を前記対向壁に着脱自在に取り付けたことを特徴とする請求項１乃至請求項３のいずれかに記載のマッサージ機。
【請求項５】
前記補助具は、前記押圧子が取り付けられ、伸縮性を有する部材にて形成されたキャップ状の装着部を有し、該装着部を前記対向壁に着脱自在に取り付けたことを特徴とする請求項１乃至請求項３のいずれかに記載のマッサージ機。
【請求項６】
前記補助具は、複数の前記押圧子を有することを特徴とする請求項１乃至請求項５のいずれかに記載のマッサージ機。
【請求項７】
椅子本体の座部の前方側にフットレストを回動自在に設け、該フットレストに左右一対の前記挿入部を設けたことを特徴とする請求項１乃至請求項６のいずれかに記載のマッサージ機。
【請求項８】
前記一対の挿入部の前記補助具を取り付ける対向壁は、左右方向における外方側に位置することを特徴とする請求項７に記載のマッサージ機。
【発明の詳細な説明】
【０００１】
【発明の属する技術分野】
本発明は、一対の対向壁を有する挿入部に施療者の被施療部を挿入し、対向壁のうちの少なくとも一方に被施療部を挟持する挟持手段を配備して被施療部を挟み揉みするマッサージ機に関する。
【０００２】
【従来の技術】
従来のマッサージ機として、座部の前方側にフットレストを回動自在に設け、このフットレストに被施療者の左右の足が各々挿入される挿入部を形成し、この挿入部を形成する対向壁に挟持手段となる空気袋を配備して、空気袋への空気の給排により空気袋を膨張収縮させて、挿入部に挿入した左右の足を挟み揉みするマッサージ機が知られている。（例えば、特許文献１参照）。
【０００３】
しかしながら、挿入部に挿入された足全体を満遍なくマッサージするのみで、施療者が所望とするときに部分的に強くマッサージすることができないものであった。
【０００４】
【特許文献１】
特許第３０１２７８０号公報（３頁の段落番号１５から５頁の段落番号４７及び図１）
【０００５】
【発明が解決しようとする課題】
本発明は、より多彩なマッサージを行うことができるマッサージ機を提供することを課題とする。
【０００６】
【課題を解決するための手段】
上記課題を解決するための手段は、一対の対向壁を有する挿入部に、施療者の被施療部を挿入し、前記対向壁のうちの少なくとも一方に被施療部を挟持する挟持手段を配備して被施療部を挟み揉みするマッサージ機において、押圧子を有する補助具を、押圧子を被施療部側に向けて前記対向壁に着脱自在に取り付けたものである。
【０００７】
かかる構成により、補助具を挿入部の対向壁に装着することにより、補助具の押圧子を使って被施療部を局部的に刺激することもでき、より多彩なマッサージを行うことができる。
【０００８】
ここで補助具を取り付ける対向壁は、挟持手段を配備した前記一方の対向壁であっても、他方側の対向壁であっても、あるいは両方の対向壁であってもよいが、挟持手段を配備した側の前記一方の対向壁に装着すれば、挟持手段の動作と連動して補助具の押圧子を動かすことができ、施療者が所望とする部分に対応し易くなる。
【０００９】
上記構成において、前記補助具は、前記押圧子の被施療部に対する位置が変更可能に前記対向壁に取り付けられることで、押圧子をつぼと思われる位置へ容易に移動させることができ、被施療部の挿入部に対する位置や施療者が代わったりしても施療者が所望とする部分に対して容易にマッサージを行うことができる。
【００１０】
また、前記補助具は、前記押圧子が取り付けられた伸縮性を有する帯状の装着部を有し、この装着部を前記対向壁に着脱自在に取り付けることにより、帯状の装着部を広げて補助具を容易に取り付けることができる。
【００１１】
また、前記補助具は、前記押圧子が取り付けられ、伸縮性を有する部材にて形成されたキャップ状の装着部を有し、この装着部を前記対向壁に着脱自在に取り付けることにより、対向壁に装着部を被せるようにして補助具を容易に取り付けることができる。
【００１２】
また、前記補助具は、複数の押圧子を有することで、補助具を取り付けた際に、複数の箇所を同時に指圧マッサージすることができる。
【００１３】
そして、椅子本体の座部の前方側にフットレストを回動自在に設け、このフットレストに左右一対の前記挿入部を設けることで、左右の足を補助具の押圧子にて指圧マッサージすることができる。
【００１４】
また、前記一対の挿入部の対向壁のうち、左右方向における外方側に位置する対向壁に補助具を装着することにより、左右の足における足三里のつぼ等を押圧子にて刺激して効果的にマッサージすることもできる。
【００１５】
【発明の実施の形態】
本発明の実施の形態を、図１乃至図５に示す椅子式マッサージ機に基づいて説明する。尚、被施療者が座部３に座った際のつま先側を前方、背中側を後方とする。
【００１６】
１はマッサージ機で、クッション２で覆われた座部３と、座部３の両側に設けられた脚部４と、脚部４の上方に位置する肘掛け部５と、座部３の背面側に設けられた背もたれ部６と、座部３の前方側に設けられたフットレスト７と、これらの骨組となるフレーム機構とで椅子本体８が構成されている。
【００１７】
背もたれ部６はその下方が座部３の後端に枢支され、座部３の下方に設けられた図示しないリクライニング機構により使用者の所望とする位置へ起倒される。また、背もたれ部６は、マッサージ機１に座った被施療者の首筋から腰にかけて揉みマッサージ、叩きマッサージ及びローリングマッサージ等を行うマッサージ装置９が搭載されており、図示しないクッションにて覆われる。
【００１８】
フットレスト７には、ふくらはぎが挿入される左右一対の挿入部１０が形成されている。挿入部１０には一対の対向壁１１、１２が夫々形成されており、左右方向における外側に位置する一方の対向壁１１には、空気の給排により膨張収縮する挟持手段としての空気袋１３（ポリエチレン等で構成）が設けられ、中央側に位置する他方の対向壁１２には、空気袋１３に対向するクッション１４が設けられている。そして、フットレスト７は布製のカバー５１（図３参照）で覆われる。また、フットレスト７の下部には足裏が載置される足載せ台１５が回動自在に設けられている。
【００１９】
座部３の下方には、空気袋１３に接続される圧縮空気給排装置（いずれも図示せず）が設けられている。この圧縮空気給排装置は、例えば電磁弁（図示せず）の動作により、空気袋１３に対して圧縮空気を供給及び排気する構成となっている。
【００２０】
１６は一方の対向壁１１に着脱自在に取り付けられる補助具で、図３及び図４に示すように、複数の押圧子１７と、この押圧子１７が取り付けられ、且つ、伸縮性を有する帯状の装着部１８から構成されている。
【００２１】
上記構成のマッサージ機１は、施療者が椅子本体８に座って左右の足が挿入部１０に挿入される。この状態で、圧縮空気給排装置を動作し、圧縮空気が空気袋１３へ供給されると、空気袋１３が膨張してふくらはぎが空気袋１３とクッション１４との間で挟持される。また、膨張した空気袋１３中の空気が排気されると、空気袋１３が収縮してふくらはぎの挟持状態が開放される。この挟持と開放の動作が繰り返される挟み揉みマッサージを行うことにより、足の血流を改善することができる。
【００２２】
また、補助具１６を使用する場合には、帯状の装着部１８を広げて、押圧子１７を被施療部である足に向けて取り付ける。この状態で、圧縮空気供給装置を動作すると、空気袋１３の膨張時に押圧子１７が図３の右半分に示す如くの足（Ｆ）の外側を押圧し、空気袋１３の収縮時に押圧状態を解除し、この動作が繰り返される。これにより、足に対して押圧子１７による局部的な指圧マッサージを行うこともでき、より多彩なマッサージを行うことができる。
【００２３】
前記補助具１６は帯状の装着部１８にて対向壁１１に取り付けられるので、足に対する位置を容易に変更することができる。これにより、使用者の所望とする位置、例えばつぼと思われる位置に押圧子１７がくるよう容易に変更することができ、使い勝手を向上できると共に効果的に指圧マッサージを行うことができる。
【００２４】
また、フットレスト７に左右一対の挿入部１０を設け、この挿入部１０を構成する一対の対向壁１１、１２のうち左右方向における外側の対向壁１１に空気袋１３を設け、この対向壁１１に前記補助具１６を着脱自在に取りつけるようにしたことで、足三里等のつぼを容易に押圧子１７で刺激して指圧マッサージを行うことができる。
【００２５】
尚、上記実施の形態では、補助具１６を、押圧子１７とこの押圧子１７が取り付けられた伸縮性を有する帯状の装着部１８とで構成したが、帯状の装着部１８の代わりに、図５に示すように、伸縮性を有する部材にて形成されたキャップ状の装着部２１が設けられた補助具２２とし、装着部２１を対向壁１１に被せるようにして取り付けてもよい。
【００２６】
また、一つの対向壁１１、１２のうちの一方の対向壁１１に空気袋１３を設け、空気袋１３と対向壁１２との間で揉みマッサージするようにしたが、空気袋等で動作する（空気袋以外にもモータなどで動作させるようにしてもよい）可動壁と、この可動壁に対向する固定壁とを設け、可動壁と可動壁との間で揉みマッサージするようにしてもよい。この場合、可動壁に補助具を取り付け、可動壁の動きに連動して、補助具の押圧子を動かすようにするとよい。
【００２７】
また、一対の対向壁１１、１２のうち外側に位置する対向壁１１に補助具１６を着脱自在に取り付けるようにしたが、内側の対向壁１２に取り付けるようにしてもよい。
【００２８】
【発明の効果】
本発明によれば、押圧子を有する補助具を、押圧子を被施療部側に向けて対向壁に着脱自在に取り付けるようにすることで、補助具の押圧子を使って被施療部を局部的に刺激することもでき、より多彩なマッサージを行うことができる。
【００２９】
そして、補助具を、押圧子の被施療部に対する位置が変更可能な状態で取り付けられるようにすることで、押圧子をつぼと思われる位置へ容易に移動させることができ、被施療部の挿入部に対する位置や施療者が代わったりしても所望とする位置へ容易にマッサージを行うことができる。
【００３０】
また、補助具は、複数の押圧子を有することで、補助具を取り付けた際に、複数の箇所を同時に指圧マッサージすることができる。
【００３１】
また、椅子本体の座部の前方側にフットレストを回動自在に設け、このフットレストに左右一対の挿入部を設けることで、左右の足を補助具の指圧子にて指圧マッサージすることができ、又、補助具を左右方向における外方側に位置する対向壁に装着することで、左右の足における足三里のつぼ等を容易に指圧子にて刺激してマッサージすることもできる。
【図面の簡単な説明】
【図１】本発明の実施の形態を示すマッサージ機の背もたれ部のカバーやフットレストのカバー等を取り外した状態での斜視図である。
【図２】同マッサージ機の補助具を取り付けた際の斜視図である。
【図３】図２において、一部を破断したフットレストの平面図で、右半分はフットレストのカバーを取り除いた空気袋の膨張時を示し、左半分は空気袋の収縮持を示す。
【図４】同マッサージ機のフットレストの正面図である。
【図５】同マッサージに他の形態の補助具を取りつけた場合の斜視図である。
【符号の説明】
１            マッサージ機
３            座部
７            フットレスト
８            椅子本体
１０            挿入部
１１            対向壁（一方）
１２            対向壁（他方）
１６            補助具
１７            押圧子
１８            帯状の装着部
２１            キャップ状の装着部
２２            補助具
【図１】
2004236759.tif 000003
【図２】
2004236759.tif 000004
【図３】
2004236759.tif 000005
【図４】
2004236759.tif 000006
【図５】
2004236759.tif 000007